(57)【特許請求の範囲】
【請求項１】
樹脂フィルムにより形成され、トレーディングカードを収容して吊り下げ陳列するためのトレーディングカード用袋体であって、
樹脂フィルムを底縁で半折して表裏フィルム面を形成するとともに両側縁を溶断溶着してなり、あるいは、一対の樹脂フィルムを重ね合わせて表裏フィルム面を形成するとともに底縁および両側縁を溶断溶着してなり、上縁が開口され、内部で封口されていない、前記トレーディングカードを収容する袋状の本体部と、
前記本体部の表裏両フィルムの上縁から上側に延設形成され、前記本体部に収容されるトレーディングカードを吊り下げるための吊り下げ用孔を有するヘッダー部とを備え、
前記ヘッダー部の表裏両フィルムのうち一方のフィルムの上縁が前記吊り下げ用孔よりも上側の位置で他方のフィルムの上縁よりも下側になるように、前記ヘッダー部の表面フィルムの上縁と裏面フィルムの上縁とは上下方向にずらされ、
前記トレーディングカードを前記本体部に収容するための収容口は、前記ヘッダー部の開口された上縁よりなり、前記吊り下げ用孔よりも上側にあるとともに、
前記ヘッダー部の一方のフィルムよりも上縁が上側にある他方のフィルムの内面に、前記一方のフィルムの上縁よりも上側に上縁が位置するように厚手の樹脂シートが設けられ、かつ、該厚手の樹脂シートは、上縁のみで前記他方のフィルムの内面に溶着されていることを特徴とするトレーディングカード用袋体。
【請求項２】
樹脂フィルムにより形成され、トレーディングカードを収容して吊り下げ陳列するためのトレーディングカード用袋体の製造方法であって、
長尺の樹脂フィルムを長さ方向に沿って半折し、表裏両フィルムの端縁を上下方向にずらして重ねて前記袋体の表裏フィルム面を形成する工程と、
前記表裏両フィルムのうち、一方のフィルムよりも上縁が上側にある他方のフィルムの上縁側の端部の内面に、前記一方のフィルムの上縁よりも上側に上縁が位置するように厚手の樹脂シートを添設する工程と、
前記厚手の樹脂シートの上縁のみで前記厚手の樹脂シートを前記他方のフィルムの内面に溶着する工程と、
前記表裏両フィルムのうち、上縁を下側にした一方のフィルムの上縁よりも下側となる位置で、前記長尺の樹脂フィルムの上縁側の端部に、前記袋体に収容されるトレーディングカードを吊り下げるための吊り下げ用孔を形成する工程と、
前記長さ方向に沿って半折した長尺の樹脂フィルムを、長さ方向と直交する方向に溶断して、前記吊り下げ用孔を形成する端部の端縁を開口縁とする略方形の袋体を形成する工程とを有することを特徴とするトレーディングカード用袋体の製造方法。
【請求項３】
樹脂フィルムにより形成され、トレーディングカードを収容して吊り下げ陳列するためのトレーディングカード用袋体の製造方法であって、
長尺の一対の樹脂フィルムを、端縁を上下方向にずらして重ねて前記袋体の表裏フィルム面を形成する工程と、
前記表裏両フィルムのうち、一方のフィルムよりも上縁が上側にある他方のフィルムの上縁側の端部の内面に、前記一方のフィルムの上縁よりも上側に上縁が位置するように厚手の樹脂シートを添設する工程と、
前記厚手の樹脂シートの上縁のみで前記厚手の樹脂シートを前記他方のフィルムの内面に溶着する工程と、
前記表裏両フィルムのうち、上縁を下側にした一方のフィルムの上縁よりも下側となる位置で、前記長尺の一対の樹脂フィルムの上縁側の端部に、前記袋体に収容されるトレーディングカードを吊り下げるための吊り下げ用孔を形成する工程と、
前記長尺の一対の樹脂フィルムの底縁を長さ方向に沿って溶断するとともに長さ方向と直交する方向に溶断して、前記吊り下げ用孔を形成する端部の端縁を開口縁とする略方形の袋体を形成する工程とを有することを特徴とするトレーディングカード用袋体の製造方法。
【発明の詳細な説明】
【技術分野】
【０００１】
本発明は、袋体および袋体の製造方法に関し、さらに詳しくは、トレーディングカードなどのカード状物を収容して店頭などに吊り下げ陳列するための袋体および袋体の製造方法に関するものである。
【背景技術】
【０００２】
従来より、遊技用カードやコレクション用カードといったいわゆるトレーディングカードなどのカード状物は、店頭やインターネットなどで販売されている。例えば、店頭で販売される場合には、カード状物は、内容物を確認することができるように透明な樹脂フィルムで形成された袋体に入れられて吊り下げ陳列されていることが多い。
【０００３】
カード状物を収容するこのような袋体は、一般に、図４に示すような構造をしている（特許文献１）。すなわち、カード状物を収容する袋体３０は、樹脂フィルムにより形成され、カード状物を収容する本体部３２と、カード状物を収容した袋体を吊り下げするための吊り下げ用孔３８が形成されたヘッダー部３４とを有しており、本体部３２はヘッダー部３４の下側に配置されている。
【０００４】
本体部３２の下端には、カード状物を収容するための収容口３６が設けられており、カード状物は、袋体３０の下側から本体部３２に収容される。収容口３６を形成する一方（裏側）の樹脂フィルム４０ｂには、収容口３６を封口する封口片４２が延設形成されている。封口片４２には接着テープ４４が貼付されており、封口片４２を他方（表側）の樹脂フィルム４０ａ側に折り曲げて他方の樹脂フィルム４０ａ表面に接着させることにより、収容口３６を封口するようになっている。なお、封口片４２により封口する前の状態では、接着テープ４４の表面はフィルム４６で覆われている。
【０００５】
【特許文献１】特開２００５−１７８８３８号公報
【発明の開示】
【発明が解決しようとする課題】
【０００６】
しかしながら、カード状物を収容して吊り下げ陳列するための従来の袋体３０には以下の問題があった。すなわち、従来の袋体３０は、袋体の本体部３２にカード状物を収容して店頭などで吊り下げ陳列したときには、カード状物を収容するための収容口３６が下側に下向きに配置される。そのため、吊り下げた状態のまま下側からカード状物だけを簡単に抜き取ることができ、万引きされやすいという問題があった。
【０００７】
また、従来の袋体３０は、接着テープ４４が貼付された封口片４２を折り曲げて封口片４２を樹脂フィルム４０ａ表面に接着させることにより収容口３６を封口する構成になっている。そのため、図５に示すように、樹脂フィルム４０ａ表面に重ねられた封口片４２および接着テープ４４の厚みが加わり、カード状物４８を収容したときの袋体３０の厚みが増して、吊り下げ陳列できる量が少なくなるという問題があった。
【０００８】
本発明が解決しようとする課題は、吊り下げ陳列された状態において収容物を抜き取りしにくくするとともに、吊り下げ陳列したときに嵩張らず、吊り下げ陳列できる量を多くすることが可能な袋体および袋体の製造方法を提供することにある。
【課題を解決するための手段】
【０００９】
上記課題を解決するために本発明に係る係る袋体は、樹脂フィルムにより形成され、トレーディングカードを収容して吊り下げ陳列するためのトレーディングカード用袋体であって、樹脂フィルムを底縁で半折して表裏フィルム面を形成するとともに両側縁を溶断溶着してなり、あるいは、一対の樹脂フィルムを重ね合わせて表裏フィルム面を形成するとともに底縁および両側縁を溶断溶着してなり、上縁が開口され、内部で封口されていない、前記トレーディングカードを収容する袋状の本体部と、前記本体部の表裏両フィルムの上縁から上側に延設形成され、前記本体部に収容されるトレーディングカードを吊り下げるための吊り下げ用孔を有するヘッダー部とを備え、前記ヘッダー部の表裏両フィルムのうち一方のフィルムの上縁が前記吊り下げ用孔よりも上側の位置で他方のフィルムの上縁よりも下側になるように、前記ヘッダー部の表面フィルムの上縁と裏面フィルムの上縁とは上下方向にずらされ、前記トレーディングカードを前記本体部に収容するための収容口は、前記ヘッダー部の開口された上縁よりなり、前記吊り下げ用孔よりも上側にあるとともに、前記ヘッダー部の一方のフィルムよりも上縁が上側にある他方のフィルムの内面に、前記一方のフィルムの上縁よりも上側に上縁が位置するように厚手の樹脂シートが設けられ、かつ、該厚手の樹脂シートは、上縁のみで前記他方のフィルムの内面に溶着されていることを要旨とする。
【００１１】
一方、本発明に係るトレーディングカード用袋体の製造方法は、樹脂フィルムにより形成され、トレーディングカードを収容して吊り下げ陳列するためのトレーディングカード用袋体の製造方法であって、長尺の樹脂フィルムを長さ方向に沿って半折し、表裏両フィルムの端縁を上下方向にずらして重ねて前記袋体の表裏フィルム面を形成する工程と、前記表裏両フィルムのうち、一方のフィルムよりも上縁が上側にある他方のフィルムの上縁側の端部の内面に、前記一方のフィルムの上縁よりも上側に上縁が位置するように厚手の樹脂シートを添設する工程と、前記厚手の樹脂シートの上縁のみで前記厚手の樹脂シートを前記他方のフィルムの内面に溶着する工程と、前記表裏両フィルムのうち、上縁を下側にした一方のフィルムの上縁よりも下側となる位置で、前記長尺の樹脂フィルムの上縁側の端部に、前記袋体に収容されるトレーディングカードを吊り下げるための吊り下げ用孔を形成する工程と、前記長さ方向に沿って半折した長尺の樹脂フィルムを、長さ方向と直交する方向に溶断して、前記吊り下げ用孔を形成する端部の端縁を開口縁とする略方形の袋体を形成する工程とを有することを要旨とする。
【００１２】
また、本発明に係る他のトレーディングカード用袋体の製造方法は、樹脂フィルムにより形成され、トレーディングカードを収容して吊り下げ陳列するためのトレーディングカード用袋体の製造方法であって、長尺の一対の樹脂フィルムを、端縁を上下方向にずらして重ねて前記袋体の表裏フィルム面を形成する工程と、前記表裏両フィルムのうち、一方のフィルムよりも上縁が上側にある他方のフィルムの上縁側の端部の内面に、前記一方のフィルムの上縁よりも上側に上縁が位置するように厚手の樹脂シートを添設する工程と、前記厚手の樹脂シートの上縁のみで前記厚手の樹脂シートを前記他方のフィルムの内面に溶着する工程と、前記表裏両フィルムのうち、上縁を下側にした一方のフィルムの上縁よりも下側となる位置で、前記長尺の一対の樹脂フィルムの上縁側の端部に、前記袋体に収容されるトレーディングカードを吊り下げるための吊り下げ用孔を形成する工程と、前記長尺の一対の樹脂フィルムの底縁を長さ方向に沿って溶断するとともに長さ方向と直交する方向に溶断して、前記吊り下げ用孔を形成する端部の端縁を開口縁とする略方形の袋体を形成する工程とを有することを要旨とする。
【発明の効果】
【００１４】
本発明に係る袋体によれば、上側に設けられた収容口から袋体の本体部にカード状物が収容されるため、吊り下げ陳列された状態において収容されているカード状物だけを下側から抜き取ることができない。そのため、吊り下げ陳列された状態において収容されたカード状物は簡単には抜き取りされにくい。また、収容口がヘッダー部の吊り下げ用孔よりも上側に設けられているため、吊り下げ陳列すると、吊り下げ用棒などの吊り下げ部材が吊り下げ用孔を貫通して収容口を塞ぐ。そのため、収容されているカード状物はさらに抜き取りされにくい。また、収容口は本体部の上端よりも上側に位置するため、収容されたカード状物は、収容口の奥深くに配置されて、より一層、抜き取りされにくい。
【００１５】
また、本発明に係る袋体は、本体部にカード状物を収容する収容口を封口するための封口片がない構成であり、本体部の内部も封口されていない構成であるので、カード状物を収容したときの袋体の厚みが増大するのを抑え、吊り下げ陳列したときに嵩張らず、吊り下げ陳列できる量を多くすることができる。そして、下側から袋体の本体部にカード状物を収容するものではないため、収容口を封口するための封口片がなくても、吊り下げ陳列したときに収容されたカード状物は収容口から落下しにくい。また、収容するカード状物は厚みが薄いため、封口片がなくても、収容した状態において収容口は開口しにくい。
【００１６】
さらに、封口片が不要なため、封口片や接着テープなどの材料の削減を図ることができるとともに、袋体に接着テープを設ける工程などを削減することができ、工程数の削減を図ることができる。また、袋体の使用者においては、収容後に封口片で封口する作業がなくなるため、収容作業を非常に簡単にすることができ、使用者の作業軽減にも貢献することができる。
【００１７】
この際、ヘッダー部の表面フィルムの上縁と裏面フィルムの上縁とが上下方向にずらされていれば、収容口の位置がわかりやすくなるとともに、収容する際にカード状物の先端を上側に長い樹脂フィルム内面にあてがって位置決めすることができるため、カード状物は収容口から収容しやすい。
【００１９】
これらの場合において、前記ヘッダー部に厚手の樹脂シートが設けられていると、ヘッダー部の強度を高くし、吊り下げ用孔からヘッダー部が破れにくい。
【００２０】
一方、本発明に係る袋体の製造方法によれば、長尺の樹脂フィルムを重ねてできる端縁側の端部に、この袋体に収容されるカード状物を吊り下げるための吊り下げ用孔を形成し、この端縁を開口縁とする略方形の袋状に溶断して袋体が製造されるため、カード状物を収容するための収容口が袋体の上側に形成される。
【００２１】
そのため、製造された袋体は、上述するように、吊り下げ陳列された状態において内容物が簡単には抜き取りされにくく、また、吊り下げ陳列したときに嵩張らず、吊り下げ陳列できる量を多くすることができる。
【発明を実施するための最良の形態】
【００２２】
以下、本発明の一実施形態について詳細に説明する。
【００２３】
図１に示すように、本発明の一実施形態に係る袋体１０は、樹脂フィルムにより形成され、薄平たい外形をしている。袋体１０は、遊技用カードやコレクション用カードといったいわゆるトレーディングカードなどのカード状物を収容して店頭などに吊り下げ陳列するためのものであり、収容されるカード状物の外形に合わせてそれぞれ略方形状に形成された表面の樹脂フィルム２０ａと裏面の樹脂フィルム２０ｂとを有し、カード状物を収容するための収容口となる開口部以外の端部は、溶着により、または、フィルムの折り返しにより塞がれて袋になっている。
【００２４】
袋体１０は、収容するカード状物を一回り大きくしたサイズに形成されカード状物を収容するための本体部１２を備えている。基本的には、カード状物は本体部１２に１枚収容されるが、カード状物は２枚以上収容されても良い。
【００２５】
本体部１２の上側には、ヘッダー部１４が延設形成されている。ヘッダー部１４には、本体部１２に収容されたカード状物を吊り下げるための吊り下げ用孔１８が設けられている。吊り下げ用孔１８の形状は、特に限定されるものではなく、図示するように、丸形状であっても良いし、四角形状、三角形状などのその他の形状であっても良い。
【００２６】
ヘッダー部１４には、厚手の樹脂シート２２を設けることもできる。この場合、ヘッダー部１４の強度を高くし、吊り下げ用孔１８からヘッダー部１４が破れにくくなる。厚手の樹脂シート２２は、収容口１６を塞がないように、表面または裏面のどちらかの樹脂フィルムと溶着されて固定されている。（図１では、裏面の樹脂フィルム２０ｂと溶着されている。）
【００２７】
カード状物を本体部１２に収容するための収容口１６は、表面の樹脂フィルム２０ａと裏面の樹脂フィルム２０ｂとを重ねたときの端縁により形成されており、吊り下げ用孔１８よりも上側に形成されており、カード状物を上側から収容できるようになっている。
【００２８】
従来の袋体は、図４に示すように、下側から袋体３０の本体部３２にカード状物を収容する構成であったため、吊り下げ陳列された状態において収容されたカード状物は下側から抜き取りされやすかった。また、吊り下げ陳列された状態において収容したカード状物が落下しないように、封口片４２で収容口３６を塞ぐ必要があり、図５に示すように、カード状物４８を収容したときの袋体３０の厚みが増大していた。そのため、図６（ｂ）に示すように、吊り下げ陳列したときに嵩張って、吊り下げ陳列できる量が少なくなっていた。
【００２９】
したがって、袋体の本体部にカード状物を上側から収容できることは重要である。実施形態に係る袋体１０では、カード状物を上側から収容できるため、吊り下げ陳列された状態において収容されているカード状物だけを下側から抜き取ることができなくなっている。そのため、吊り下げ陳列された状態において収容されたカード状物は簡単には抜き取りされにくい。
【００３０】
また、袋体１０は、下側から袋体１０の本体部１２にカード状物を収容する構成ではないため、収容口１６を封口するための封口片がなくても、吊り下げ陳列したときに収容されたカード状物は収容口１６から落下しにくい。そして、収容するカード状物は厚みが薄いため封口片がなくても収容した状態において収容口１６は開口しにくいことと相まって、封口片で収容口１６を塞ぐ必要がなくなり、封口片がない構成にすることができる。
【００３１】
これにより、カード状物を収容したときの袋体の厚みが増大するのを抑えることができる。そうすると、図６（ａ）に示すように、吊り下げ陳列したときに嵩張らず、吊り下げ陳列できる量を多くすることができる。
【００３２】
そして、袋体１０によれば、封口片が不要になるため、封口片や接着テープなどの材料の削減を図ることができる。また、袋体１０に接着テープを設ける工程などを削減することができ、工程数の削減を図ることができる。さらに、袋体１０の使用者においては、収容後に封口片で封口する作業がなくなるため、収容作業を非常に簡単にすることができ、使用者の作業軽減にも貢献することができる。
【００３３】
カード状物を上側から収容できるためには、袋体１０の上側に収容口があれば良い。上側とは、カード状物を袋体１０の上側から収容できるようにするための位置であり、例えば、カード状物が収容される本体部１２の中心よりも上側に収容口１６があると、カード状物を袋体１０の上側から収容できる。そして、収容口１６は、本体部１２の中心よりも上側であれば、本体部１２の途中部位にあっても良い。
【００３４】
より好ましくは、例えば、図２に示すように、本体部１２よりも上側に収容口１６があると良い。本体部１２よりも上側に収容口１６があると、カード状物を収容口１６より下方に収容するだけで簡単にカード状物を本体部１２に収容することができる。収容後には、カード状物は収容口１６から落下しにくい。
【００３５】
さらに好ましくは、図１に示すように、吊り下げ用孔１８よりも上側に収容口１６があると良い。そうすると、吊り下げ陳列したときには、図６（ａ）に示すように、吊り下げ用棒などの吊り下げ部材が吊り下げ用孔１８を貫通して収容口１６を塞ぐ。そのため、収容されているカード状物はさらに抜き取りされにくい。また、収容口１６は、カード状物を収容する本体部１２の上端よりも上側に位置するため、収容されたカード状物は、収容口１６の奥深くに配置されて、より一層、抜き取りされにくい。
【００３６】
収容口１６は、端縁が上下方向にそろっていても良いし、端縁が上下方向にずらされていても良い。端縁が上下方向にずらされている場合には、収容口１６の位置がわかりやすくなる。また、収容する際にカード状物の先端を上側に長い樹脂フィルム内面にあてがって位置決めすることができるため、カード状物を収容口１６から収容しやすい。
【００３７】
なお、収容口１６は、上述するように、樹脂フィルム２０ａ、２０ｂの端縁で形成することができるが、樹脂フィルム途中に切り込みを入れて形成しても良い。端縁で形成する場合には、切り込みを入れなくてすむため、簡便である。
【００３８】
樹脂フィルム２０ａ、２０ｂは、収容されるカード状物の内容を視認可能にするために、透明であることが好ましい。無色であっても良いし、色彩を付していても良い。樹脂フィルム２０ａ、２０ｂを構成する材料としては、溶断可能な材料であれば良く、特に限定されるものではない。樹脂フィルム２０ａ、２０ｂを溶断するには、例えば、樹脂の溶融温度以上に加熱された一般的な溶断部材により行なうことができる。
【００３９】
樹脂フィルム２０ａ、２０ｂを構成する材料としては、例えば、ポリプロピレン、ポリエチレン、エチレン−酢酸ビニル共重合体、エチレン−エチルアクリレート共重合体等のポリオレフィン系樹脂や、ポリカーボネート、ポリエチレンテレフタレート等のエンプラ系樹脂などを例示することができる。
【００４０】
より好適なものとしては、加工温度が低いポリオレフィン系樹脂を挙げることができる。ポリオレフィン系樹脂のうち、ポリエチレンとしては、エチレンの単独重合体や、エチレンを主成分とした、１−ブテン、１−ヘキセン等のα−オレフィンなどのエチレンと共重合可能な他の単量体との共重合体などを例示することができる。同様に、ポリプロピレンとしては、プロピレンの単独重合体や共重合体などを例示することができる。
【００４１】
そして、ポリオレフィン系樹脂のうち、ホモポリプロピレン、ランダムポリプロピレン、ブロックポリプロピレン等のポリプロピレンがさらに好適である。また、これらポリプロピレンの耐寒性、柔軟性等を改善するために、エチレン−プロピレン共重合体、スチレン−エチレン−プロピレン共重合体、スチレン−ブタジエン−スチレン共重合体およびその水添化合物等を添加した組成物、および無水マレイン酸等により変性されたポリプロピレンやポリエチレン系の各種樹脂を添加したものとしても良い。これらポリプロピレンは、２軸延伸したものが特に好適である。
【００４２】
２軸延伸したものは、縦および横の延伸方向にフィルムの樹脂を分子配向させて両方向の引張り強さを増すことにより強靱性を増大させるとともに、フィルム強度の方向性なくして強度をバランスさせることができる。さらに、フィルムの透明性も良くすることができる。
【００４３】
樹脂フィルム２０ａ、２０ｂの厚みは、特に限定されるものではないが、好ましくは、５μｍ〜５０μｍの範囲にすると良い。より好ましくは、１０μｍ〜３０μｍの範囲とすると良い。樹脂フィルム２０ａ、２０ｂは、単層であっても良いし、複層であっても良い。
【００４４】
樹脂フィルム２０ａ、２０ｂを構成する樹脂には、必要に応じて公知の添加剤、例えば、滑剤、ブロッキング防止剤、熱安定剤、可塑剤、酸化防止剤、帯電防止剤、耐光剤、紫外線吸収剤等を添加することができる。この場合、成形して得られるフィルムの透明性を損なわないことが好ましい。
【００４５】
厚手の樹脂シート２２は、カード状物を収容する位置に配置されるものではないため、不透明であっても良い。例えば、樹脂フィルム２０ａ、２０ｂを透明にし、樹脂シート２２を不透明にすると、本体部１２とヘッダー部１４とが識別されやすい。
【００４６】
厚手の樹脂シート２２を構成する材料としては、例えば、無延伸ポリプロピレン（ＣＰＰ）や二軸延伸ポリプロピレン（ＯＰＰ）などを例示することができる。樹脂シート２２の厚さは特に限定されないが、好ましくは、３０〜６０μｍの範囲内にすると良い。
【００４７】
次に、本発明に係る袋体の製造方法について詳細に説明する。
【００４８】
図３に示すように、袋体は、長尺の樹脂フィルム２０ａ、２０ｂから製造される。樹脂フィルム２０ａ、２０ｂは、押出成形法、インフレーション成形法、カレンダ成形法等の通常行なわれるフィルム成形法によりフィルム状に成形することができる。そして、このようなフィルム成形において、２軸延伸を行なうことが好ましい。
【００４９】
２軸延伸方法としては、例えば、Ｔダイより溶融押出した未延伸のシートをロール式延伸機で縦方向に延伸した後、テンター式延伸機で横方向に延伸する方法（逐次２軸延伸方法）、未延伸のシートをテンター式同時２軸延伸機で縦方向と横方向とを同時に延伸する方法（同時２軸延伸方法）、チューブ状に溶融押出したシートを気体の圧力で膨張させ延伸する方法（インフレーション法）などを例示することができる。２軸延伸における延伸温度および延伸倍率は、樹脂の種類、延伸方法に応じて、通常行なわれている条件に適宜設定すれば良い。
【００５０】
袋体を製造するには、まず、長尺の樹脂フィルム２０ａ、２０ｂを重ねて、袋体の表裏フィルム面を形成する。このとき、２枚の長尺の樹脂フィルムを重ねても良いし、１枚の長尺の樹脂フィルムを、長さ方向に沿って約半分に折り曲げることにより重ねても良い。重ねられた長尺の樹脂フィルム２０ａ、２０ｂの端縁は、そろえても良いし、上下方向にずらしても良い。
【００５１】
２枚の長尺の樹脂フィルムを用いる場合には、例えば、長尺の樹脂フィルムを巻回している２つの巻回ロールのそれぞれより樹脂フィルムを繰り出して重ねると良い。また、１枚の長尺の樹脂フィルムを用いる場合には、例えば、長尺の樹脂フィルムを巻回している巻回ロールより樹脂フィルムを繰り出した後、三角板などの公知の折り曲げ手段により半折りすることにより樹脂フィルムを重ねると良い。
【００５２】
そして、重ねられた長尺の樹脂フィルム２０ａ、２０ｂに、吊り下げ用孔１８を形成する。重ねられた長尺の樹脂フィルム２０ａ、２０ｂは、一般的なフィルム搬送装置により搬送可能であり、例えば、搬送の一時停止時に吊り下げ用孔１８を形成することができる。吊り下げ用孔１８を形成するには、例えば、先端形状が丸形などに形成された打ち抜き熱刃により溶断しつつ打ち抜いても良いし、冷間状態でポンチなどにより打ち抜いても良い。このとき、長尺の樹脂フィルム２０ａ、２０ｂの端縁側の端部（ヘッダー部１４）に吊り下げ用孔１８を形成する。このとき、長尺の樹脂フィルム２０ａ、２０ｂの端縁側の端部に厚手の樹脂シート２２を添設することができる。
【００５３】
次いで、長尺の樹脂フィルム２０ａ、２０ｂを溶断して、略方形の袋体を形成する。重ねられた長尺の樹脂フィルム２０ａ、２０ｂの端縁を袋体の収容口にするため、端縁を開口縁とする略方形の袋状に溶断する。例えば、２枚の長尺の樹脂フィルムを用いる場合には、収容口を上側の端縁とし、長さ方向に沿って底縁を溶断して塞ぎ、袋幅Ｗとなる溶断線Ｃに沿って長さ方向と直交する方向に両側縁を溶断して塞ぐ。また、例えば、１枚の長尺の樹脂フィルムを用いる場合には、半折りした部分を底縁とすることができるため、長さ方向と直交する方向に両側縁を溶断して塞ぐ。いずれの方法においても、長尺の樹脂フィルムの長さ方向に所定のピッチ（袋幅Ｗ）で溶断線Ｃに沿って袋体の側縁を溶断して、連続して袋体を形成することができる。
【００５４】
なお、吊り下げ用孔を形成する工程と、長尺の樹脂フィルムを溶断して略方形の袋体を形成する工程とは、工程順が逆であっても良いし、両工程を同時に行なっても良い。
【００５５】
以上、本発明の実施の形態について詳細に説明したが、本発明は上記実施の形態に何ら限定されるものではなく、本発明の要旨を逸脱しない範囲で種々の改変が可能である。
【産業上の利用可能性】
【００５６】
本発明に係る袋体は、例えば、遊技用カードやコレクション用カードといったいわゆるトレーディングカードなどのカード状物を収容して店頭などに吊り下げ陳列する袋体として好適に使用することができる。
【図面の簡単な説明】
【００５７】
【図１】本発明の一実施形態に係る袋体を表す模式図（ａ）と、Ａ−Ａ断面図（ｂ）である。
【図２】本発明の一実施形態に係る袋体を表す模式図（ａ）と、Ｂ−Ｂ断面図（ｂ）である。
【図３】本発明に係る袋体の製造方法を説明するための模式図である。
【図４】従来の袋体を表す模式図（ａ）と、Ｄ−Ｄ断面図（ｂ）である。
【図５】従来の袋体にカード状物を収容した状態での断面図である。
【図６】カード状物を収容した複数の袋体を吊り下げ用棒に吊り下げ陳列したときの状態を表す図であり、本発明に係る袋体を吊り下げた図（ａ）、および、従来の袋体を吊り下げた図（ｂ）である。
【符号の説明】
【００５８】
１０  袋体
１２  本体部
１４  ヘッダー部
１６  収容口
１８  吊り下げ用孔
【図１】
0004590448.tif 000002
【図２】
0004590448.tif 000003
【図３】
0004590448.tif 000004
【図４】
0004590448.tif 000005
【図５】
0004590448.tif 000006
【図６】
0004590448.tif 000007